(57)【要約】【課題】２組のスピーカを結ぶ直線上でも、２個の音源を異なった位置に定位させ、音響再生装置を中心とした極めて広い範囲で２個の音源を異なる位置に定位させることができる音響再生装置の提供。【解決手段】２チャネルの信号がそれぞれ入力される２組の再生ユニット２０，３０は、それぞれ偶数個のスピーカ２０ａ，２０ｂと３０ａ，３０ｂとから成り、その一方の組の再生ユニットを構成する一部のスピーカに入力される信号を位相反転器５０で反転させることで、その再生ユニットの指向特性を変形させ、２チャネルのそれぞれの音源を異なった位置に定位させる。【選択図】図１
2008098826.tif 000002
【特許請求の範囲】
【請求項１】
一方の入力チャネル信号を再生する偶数個のスピーカが放音側を外側に向けて配置された一方の再生ユニットと、
上記一方の再生ユニットと離されて配置され、他方の入力チャネル信号を再生する他方の再生ユニットと、を具備し、
上記一方の再生ユニットのスピーカは、それぞれの組の中心を結ぶ直線に対して対称に配置され、
更に上記一方の再生ユニットを構成する一部のスピーカに入力される上記一方の入力チャネル信号の位相を反転する位相反転器を備えることを特徴とする音響再生装置。
【請求項２】
請求項１に記載された音響再生装置において、
上記位相反転器は、上記直線を挟んだ片側の全てのスピーカに出力信号を供給するものであることを特徴とする音響再生装置。
【請求項３】
請求項１に記載された音響再生装置において、
上記偶数個は４個以上であり、
上記位相反転器は、上記一方の再生ユニットを構成するスピーカ中の少なくとも１つ置きに出力信号を供給するものであることを特徴とする音響再生装置。
【請求項４】
請求項１乃至３の何れかに記載の音響再生装置において、
上記一方の再生ユニットと他方の再生ユニットは同一構成であり、そのスピーカが２個以上の偶数個であり、且つ、各スピーカが放音側を外側にして放射状に配置され、両再生ユニットは上記直線の中点に対して対称であることを特徴とする音響再生装置。
【請求項５】
請求項１乃至４の何れかに記載された音響再生装置において、
上記２組の再生ユニットの間に配置される低域用スピーカと、
上記一方と他方の入力チャネル信号を合成するミキサと、
上記ミキサの出力端子に接続される低域通過フィルタと、
上記低域通過フィルタの出力端子に接続され、出力信号を上記低域用スピーカに供給する遅延器と、を具備したことを特徴とする音響再生装置。
【請求項６】
請求項５に記載の音響再生装置において、
上記低域通過フィルタの遮断周波数は６００Ｈｚ以下であり、上記遅延器の遅延時間は１〜２０ｍｓの範囲内であることを特徴とする音響再生装置。
【請求項７】
放音側を外側に向けて配され、少なくとも一方は偶数個のスピーカよりなる２組の再生ユニットが離されて設けられ、
上記偶数個のスピーカの再生ユニットの他方が、一方の入力チャネル信号を、上記直線に対して一方側に配置された少なくとも１個のスピーカと、他方側に配置された少なくとも１個のスピーカとで互いに逆位相で再生し、
上記再生ユニットの一方が他方の入力チャネル信号を再生することを特徴とする音響再生方法。
【請求項８】
請求項７に記載された音響再生方法において、
上記再生ユニットの他方が上記一方側に配置された全てのスピーカと、他方側に配置された全てのスピーカとを互いに逆位相で再生することを特徴とする音響再生方法。
【請求項９】
請求項７に記載された音響再生方法において、
上記他方の再生ユニットが、その構成する偶数個のスピーカの１個置きに逆位相で再生されることを特徴とする音響再生方法。
【請求項１０】
請求項７乃至９の何れかに記載された音響再生方法において、
ミキサが上記一方と他方の入力チャネル信号を合成し、
低域通過フィルタが上記ミキサの出力信号の低域周波数成分を抽出し、
遅延器が上記低域通過フィルタの出力信号を遅延させ、
上記２組の再生ユニットの間に配置された低域用スピーカが上記遅延器の出力信号を再生することを特徴とする音響再生方法。
【発明の詳細な説明】
【技術分野】
【０００１】
この発明は、例えば電話会議などに利用され、２チャネルの可聴帯域信号を、複数のスピーカで拡声再生する音響再生装置と音響再生方法に関する。
【背景技術】
【０００２】
電話会議システムやテレビ会議システムで用いられる２チャネルの可聴帯域信号を複数のスピーカで拡声再生する音響再生装置は、複数のスピーカから出す信号に違いを出すことにより、受聴者が聞き取れる音像の位置を変化させることができる。複数の再生音像を違った位置に定位させることで、それぞれの音源の了解性を上げることが可能となる。
このように音像を違った位置に定位させて受聴位置を拡大する方法の一つが非特許文献１に開示されている。その従来技術を図８を参照して説明する。２チャネルの入力信号Ｃｈ.1とＣｈ.2がそれぞれ入力される左右のスピーカ位置には、それぞれ２個のスピーカＳＬ１，ＳＬ２とＳＲ１，ＳＲ２とが設置されている。それぞれの組のスピーカにおける外側に位置するスピーカＳＬ１とＳＲ１の指向性は正面方向に、内側に位置するスピーカＳＬ２とＳＲ２の指向性は、２組のスピーカの中央前方に位置する受聴者Ｂに向けられている。
【０００３】
左側のスピーカＳＬ１の正面に位置する受聴者Ａは、スピーカＳＬ１とスピーカＳＲ２の音を聞くことになる。受聴者Ａと各スピーカＳＬ１とＳＲ２との距離はスピーカＳＲ２の方が遠いので、スピーカＳＬ１の入力側に遅延器７０Ｌが直列に接続され、上記遠い分の距離を音が伝達する時間だけ、入力信号Ｃｈ.2が遅延器７０Ｌにより遅延される。また受聴者ＡにスピーカＳＬ１とスピーカＳＲ２の音が同じ大きさで聞こえるように、受聴者Ａから遠いスピーカＳＲ２の入力側にはその分の音圧低下を補うための増幅器７２Ｒが直列に接続される。このようにすることで、左側のスピーカＳＬ１の正面に位置する受聴者Ａでも良好な音像定位を得ることが可能となる。２組のスピーカの中央に位置する受聴者Ｂは、お互いに遅延されないスピーカＳＬ２とＳＲ２の音を同時に聞くので従来通りの定位が得られる。スピーカＳＲ１の入力側には、遅延器７０Ｌと対応する遅延器７０Ｒが直列に接続され、スピーカＳＬ２の入力側には、増幅器７２Ｒと対応する増幅器７２Ｌが直列に接続されている。従って、右側のスピーカＳＲ１の正面に位置する受聴者Ｃは、スピーカＳＲ１とスピーカＳＬ２の音を聞くことになり、受聴者Ａ側と同じ原理で良好な音像定位を得ることができる。このようにスピーカの配列方向に並行する方向で受聴エリアを拡大することができる。
【０００４】
受聴位置を拡大する他の方法が非特許文献２に示されている。この他の従来技術を図９を参照して説明する。この方法は、スピーカＬとスピーカＲの間に音像を定位させるのではなく、入力されるＣｈ.1の音信号をスピーカＲから、Ｃｈ.2の音信号をスピーカＬからそれぞれ再生する。そのために、両チャネルＣｈ.1，Ｃｈ.2に信号が混ざっている場合に、それを取り除くためにクロストークキャンセラ８０を用いる。したがって、この方式では入力されるＣｈ.1とＣｈ.2のそれぞれの音源は、スピーカＬ又はＲのどちらかの位置に固定されて再生される。
【０００５】
これらの従来技術では、スピーカの配列する方向に並行な向きで受聴エリアを拡大することができる。
【非特許文献１】大賀寿郎、山崎芳男、金田豊著「音響システムとディジタル処理」1995年発行、232〜233頁
【非特許文献２】大山貴博、穂刈治英、島田正治「複数受聴者対応型拡声通信に用いる音源分離手法の比較」、電子情報通信学会誌（Ａ），Vol.J86-ANo.7,2003
【発明の開示】
【発明が解決しようとする課題】
【０００６】
しかしながら従来の方法では、２組のスピーカを結ぶ線の延長線に近い位置に受聴者が位置すると、受聴者の位置から２組のスピーカの見込み角度が狭くなり、良好な音像定位を得ることが不可能になる。つまり、２組のスピーカを結ぶ線の延長線上の受聴者は、２個の音源からのチャネル信号の音が同一の方向から聞こえる。
この発明は、このような課題に鑑みてなされたものであり、２組のスピーカを結ぶ直線の延長線上の受聴者でも、２個の音源に対する音像を異なった位置に定位させることができる音響再生装置及び音響再生方法を提供することを目的とする。
【課題を解決するための手段】
【０００７】
この発明による音響再生装置は、２組の再生ユニットを離して備え、少なくとも一方の再生ユニットは、放音側を外側に向けた偶数個のスピーカからなる。この一方の偶数個のスピーカからなる各再生ユニットにおけるスピーカは、それぞれの組の中心を結ぶ直線に対して対称に配置される。更に上記一方の偶数個スピーカの再生ユニットを構成する一部のスピーカに入力される入力チャネル信号の位相を反転する位相反転器を備える。
【発明の効果】
【０００８】
この発明の音響再生装置によれば、２組のスピーカを結ぶ直線の延長線上において音響再生装置に対して両側に位置する受聴者には、チャネル信号が位相反転されることなく入力されるユニットから出た音の音像はその再生ユニットに定位されて聞こえ、チャネル信号が位相反転されて入力される再生ユニットから出た音の音像はその受聴者の左か右かに定位されて聞こえる。
このように従来では、２個の音源からのチャネル信号の音が同一の方向から聞こえてしまう位置の受聴者に対しても、２個の音源の音像を異なった位置に定位させ、いずれの音源からの再生音を聞いているかを容易に区別させることができる。
【発明を実施するための最良の形態】
【０００９】
以下、この発明の実施の形態を図面を参照して説明する。複数の図面中同一のものには同じ参照符号を付し、説明は繰り返さない。
【実施例１】
【００１０】
この発明の音響再生装置の実施例１の構成を図１に示す。この音響再生装置は、例えば長円形の会議テーブル１０の上に配置されて使用される。実施例１の音響再生装置は、一方の入力チャネル信号Ｃｈ.1を再生する偶数個のスピーカが放音側を外側に向けて配置された一方の再生ユニット２０と、一方の再生ユニットと離されて配置され他方の入力チャネル信号を再生する他方の再生ユニット３０とを備える。この実施例１の場合、２組の再生ユニット２０，３０は同一構成であり、それぞれスピーカ２０ａと２０ｂ、スピーカ３０ａと３０ｂの２個ずつで構成される例である。
２組の再生ユニット２０，３０のスピーカ２０ａと２０ｂ，３０ａと３０ｂは、それぞれの組の中心を結ぶ直線４０に対して対称に配置され、且つ、再生ユニット２０と３０は直線４０の中点に対して対称の位置にそれぞれ配置されている。
【００１１】
更に上記２組の再生ユニット２０と３０のどちらか一つの再生ユニットを構成する一部のスピーカに入力される上記入力チャネル信号の位相を反転する位相反転器５０を備える。この実施例１の場合は、再生ユニット２０を構成するスピーカ２０ａに入力される入力チャネル信号Ｃｈ.1が位相反転器５０で位相反転されている。以降、位相反転された信号が入力されるスピーカを図面中においてハッチングを施して示す。なお、位相反転器５０は会議テーブル１０上に配置する必要はない。
このように実施例１の音響再生装置が机上に配置された会議テーブル１０の周囲の、上記直線４０の両側に、例えば３人ずつの受聴者Ａ，Ｂ，Ｃと受聴者Ｅ，Ｆ，Ｇが、上記直線４０の延長方向の両端に１人ずつの受聴者ＤとＨが位置している。
【００１２】
この実施例１において、入力チャネル信号Ｃｈ.1とＣｈ.2に異なる音源の信号を入力した場合、再生ユニット３０のスピーカ３０ａと３０ｂから再生される入力チャネル信号Ｃｈ.2の音は、どの受聴者Ａ〜Ｈからも再生ユニット３０の位置に音像が定位して受聴される。一方の再生ユニット２０から再生される入力チャネル信号Ｃｈ.1の音は、直線４０の両側の位置にある受聴者Ａ，Ｂ，Ｃと受聴者Ｅ，Ｆ，Ｇとからは、再生ユニット２０の位置に音像が定位して受聴される。一方、原理については後述するが、直線４０の延長線上に位置する受聴者ＤとＨにおいては、入力チャネル信号Ｃｈ.2の音は受聴者Ｄ，Ｈの左右のどちらかの耳の方向に音像が定位して受聴される。
【００１３】
つまり、従来の技術では良好な音像定位を得ることが不可能であった直線４０の延長方向に位置する受聴者ＤとＨに対して、再生ユニット２０から再生される入力チャネル信号Ｃｈ.1の音の音像を受聴者ＤとＨの左右のどちらかの耳の一方向に定位させることができ、再生ユニット３０から再生される入力チャネル信号Ｃｈ.2の音の音像を、再生ユニット３０の位置に定位させることができる。また、両再生ユニット２０と３０を結ぶ直線４０の両側に位置する受聴者からは、従来の音響再生装置と同様に再生ユニット２０と３０の位置は見込み角が広く離れて位置するため、入力チャネル信号Ｃｈ.1の音は再生ユニット２０の位置に、入力チャネル信号Ｃｈ.2の音は再生ユニット３０の位置に、それぞれ音像が定位して聞こえる。この実施例では、このように音響再生装置を中心とした全周辺に位置する受聴者に対し、２個の音源の音像を異なる位置に定位させることができ、これら両音源からの信号を容易に区別することができる。
【００１４】
〔直線４０の延長線方向において音を定位させる原理〕
図２に実施例１の再生ユニット２０を構成するスピーカ２０ａと２０ｂの音の指向特性を示す。横軸は上記した再生ユニット２０と３０のそれぞれの中心を結ぶ直線４０であり、スピーカ２０ａ及び２０ｂから発せられる音圧の水平面内指向特性４１ａ，４１ｂを模式的に表した図である。
入力チャネル信号Ｃｈ.1がそのまま入力されるスピーカ２０ｂに対して、スピーカ２０ａには位相反転器５０で位相反転された入力チャネル信号Ｃｈ.1が入力されるので、直線４０の延長線の両端の方向である０度と１８０度の方向を中心にして等しい音圧同士が打ち消し合って音圧がゼロになる凡そ扇形状の無音領域４２と無音領域４３が発生する。
【００１５】
無音領域４２，４３内のある場所を点で捉えると、位相が逆転した音圧同士が打ち消しあっている。しかし、人間の頭はある程度の大きさを持ちその左右に離れて両耳が位置しているので、微妙な音圧差が発生し音を聞き取ることが出来る。例えば無音領域４２内に位置する受聴者Ｄが、スピーカ２０ａ又は２０ｂのどちらかの方向に顔を向けるなり頭を傾斜させて傾聴する姿勢をとると、その傾聴した方向の片耳だけで音を聞く片耳受聴になる。片耳受聴になるとその方向からの音が大きく聞こえるので、その方向、つまり再生ユニット２０の方向とは異なる方向から音が聞こえるように感じる。つまり顔が正面を向いていて例えば右耳で聴けば、右肩の方向から音が聞こえる。左耳で聞けば左肩の方向から音が聞こえて来るように感じる。したがって、無音領域内に位置する受聴者にとって、入力チャネル信号Ｃｈ.2が入力される再生ユニット３０の音は、再生ユニット３０の位置に音像が定位して聞こえ、入力チャネルＣｈ.1が入力される再生ユニット２０の音は左右どちらかの耳の方向に音像が定位して聞こえる。つまり聞いている音が、入力チャネル信号Ｃｈ.1かＣｈ.2のいずれであるかを容易に区別できる。従って、２個のチャネル信号の発生音源を簡単に聞き分けることができる。
【００１６】
以上の説明から明らかなように、その無音領域を作り出す入力チャネル信号Ｃｈ.1の再生音の音像方向は、無音領域４２，４３内の受聴者の姿勢や位置によって簡単に変わるものであるが、再生ユニット２０の方向ではない位置に音像を定位させることができる。一方、再生ユニット３０の再生音の音像は、無音領域４２，４３内の受聴取者に対しては再生ユニットの位置又は方向に定位する。よって無音領域４２，４３内に位置する受聴者でも２個の音源の音像定位の位置の切り分けを容易に行うことができる。
【実施例２】
【００１７】
この発明による音響再生装置は、少なくとも一方の再生ユニットは偶数個のスピーカで構成する必要がある。この点から音響再生装置を小型にするためには、スピーカの外径は小型である方が好ましい。しかし、小径のスピーカでは低域の音を十分に再生できない問題がある。また、低域の音は直進性が弱くスピーカの周囲全体に放射されるので、実施例１のように再生ユニット２０のスピーカを逆位相で再生すると特に低域音が不足する。つまり、図２におけるスピーカ２０ａと２０ｂから発した低音が、スピーカの裏側にも回り込むために、低音が打ち消し合ってしまう。
【００１８】
このように、例えば電話会議システムに使用される音響再生装置においては、音信号を再生する場合、ある帯域より低い帯域の音の音像は定位し難いものとなる。一方、人間は、先に聞こえた音の方向を認識する先行音効果を持つ。そこで、実施例２ではこれらの現象を利用することで、再生ユニット２０と３０とで定位させた音の不足した低音を補う構成にしている。
【００１９】
図３に示すように実施例２では、再生ユニット２０と３０との間に低域用スピーカ６０を配置する。一方、入力チャネル信号Ｃｈ.1とＣｈ.2の信号をミキサ６２で合成して、その出力信号から低域通過フィルタ６４で低域周波数信号を抽出し、さらに低域通過フィルタ６４の出力信号を遅延器６６で遅延させ、この遅延器６６で遅延された低域周波数信号を低域用スピーカ６０に入力する。
【００２０】
低域通過フィルタ６４の遮断周波数については、例えば６００Ｈｚとした場合に、再生ユニット２０又は３０からの先行音によって決まる音像と同一音像の音として聞こえることが知られている。また、遅延時間の下限値は、先行音効果が得られる範囲から決められる。その遅延時間は、少なくとも約６３０μｓから１ｍｓ程度であれば、低域用スピーカ６０からの音の音像は先に放射されてくる音の音像位置に定位する。このように先行音効果が得られる遅延時間は比較的に短い時間である。一方、遅延時間が２０ｍｓを超えると人間は低域用スピーカ６０からの音をエコー音として認識してしまう、つまり別の音と認識してしまうので遅延時間の上限は２０ｍｓ以下である必要がある。
【００２１】
この先行音と低域通過フィルタの遮断周波数の関係についての報告は、参考文献「植松尚他著、“センタースピーカの先行音効果を用いたステレオ音声の受聴位置拡大”、日本音響学会講演論文集2005年9月、565〜566頁」に記載されている。また先行音効果は、第一波面の法則とも呼ばれるもので、例えば参考文献「Ｊ.ブラウエルト他著、“空間音響”、鹿島出版会、昭和61年7月発行、142頁」に記載され、エコー音と感じる閾値についても、同文献の１４８頁の表４.２に記載されている。以上のことから低域通過フィルタ６４のカットオフ周波数は、６００Ｈｚ以下とし、遅延器の遅延時間を１〜２０ｍｓの範囲内に設定すればよい。
【００２２】
このように構成することで、再生ユニット２０と３０とで定位させた音の低音を、その定位感に影響を与えることなく補うことが可能になる。
なお、低域用スピーカ６０は、両再生ユニット２０と３０との間に配置すれば良く、配置する位置についての厳密性は要求されない。これは、確実に先行音効果が得られる最小の遅延時間が１ｍｓであることから説明できる。例えば音速を３４０ｍ／秒と仮定して遅延時間１ｍｓを距離に換算すると３４ｃｍである。各受聴者と再生ユニット２０，３０との間の距離に対して、低域用スピーカ６０の位置が３４ｃｍ受聴者寄りに近い距離に在ると遅延時間の効果が無くなり、先行音効果を得られなくなる。つまり、受聴者と再生ユニットとの距離よりも、受聴者と低域用スピーカとの距離が３４ｃｍ以上短くならなければよい。
【００２３】
これを図１を参照して説明する。図１に破線で示すように再生ユニット２０と３０の丁度真ん中の位置に低域用スピーカ６０を配置した場合に、低域用スピーカ６０の正面に位置する受聴者Ｂとの間の距離が最も短くなる。例えば、受聴者Ａ，Ｂ，Ｃが６０ｃｍの間隔を空け、且つ再生ユニットの配列方向と直交する向きに１ｍ離れて座っていると仮定する。この場合、再生ユニット２０，３０と受聴者Ｂとの距離は約１.２ｍである。この時、受聴者Ｂと低域用スピーカ６０との距離は１.０ｍなので、受聴者Ｂと再生ユニット２０，３０との距離よりも２０ｃｍ短いだけである。したがって、上記した条件を満たすので再生ユニット２０と３０から発せられた音が先に受聴者Ｂに到達する。この結果、定位感は再生ユニット２０と３０とから発せられた音で決定される。
【００２４】
このように最も条件の悪い低域用スピーカの位置でも、両再生ユニット２０と３０からの音による先行音効果が得られるので、低域用スピーカ６０は再生ユニット２０と３０と同列に並べれば、その間のどこに配置しても良いことになる。もちろん、再生ユニット２０と３０がもっと離れて配置されると、低域用スピーカ６０と受聴者との間の距離が、再生ユニットとの距離よりも３４ｃｍ以上短くなることもある。その場合は、遅延器６６の遅延時間を１〜２０ｍｓの範囲内で増やせばよい。
なお、低域用スピーカ６０は１個の例を示したが、低域周波数帯の音は上記したように直進性が悪く、スピーカの裏側にも回りこむので１個でも十分である。また、低域用スピーカ６０を無指向性スピーカにしても良いし、再生ユニット２０，３０と同じように放音側を外側に向けて２個設けてもよい。
【実施例３】
【００２５】
図４に各再生ユニット２０，３０を構成するスピーカを４個で構成したこの発明の実施例３を示す。再生ユニット２０´の４個のスピーカ２０ａ，２０ｂ，２０ｃ，２０ｄは、その音の放射方向が等角間隔の放射状になるように配され、スピーカ２０ａ２０ｂと、スピーカ２０ｃ，２０ｄとが直線４０に対して対称に配置されている。再生ユニット３０´の４個のスピーカ３０ａ，３０ｂ，３０ｃ，３０ｄも再生ユニット２０´と同様の配置構成とされている。一方の再生ユニット２０´の直線４０を挟んだ片側の全てのスピーカ、スピーカ２０ａと２０ｂの２個のスピーカに、位相反転器５０で位相反転された入力チャネル信号Ｃｈ.1が入力される。再生ユニット３０´に対しては、全スピーカ３０ａ〜３０ｄに対し入力チャネル信号Ｃｈ.2を同位相で入力する。なお図４には低域用スピーカ６０を使用した例を示したが、これを省略してもよい。
【００２６】
実施例３の再生ユニット２０´の音の指向特性を図５に示す。実施例３の場合、直線４０を挟んだ片側がそれぞれ２個ずつのスピーカで構成され、４個のスピーカは放音側を外側にして放射状に配置されているため、図２で説明した無音領域４２，４３の範囲は図２のそれより狭くなる。つまり、それだけ再生ユニットからの音の到達角度範囲が広がることになる。したがって、この実施例３は、会議テーブルが直線４０の延長方向に長い場合に有効である。
【００２７】
更に、再生ユニット２０´において隣接しないスピーカに位相反転器５０の出力信号を供給してもよい。例えば再生ユニット２０´において、例えばスピーカ２０ａと２０ｃに、位相反転器５０で位相を反転させた入力チャネル信号Ｃｈ.1を入力する。このようにすると、図５に示した指向特性に対して図６に示す指向特性となる。つまり再生ユニット２０´の中心の位置で直線４０に対して直交する方向、即ち９０度と２７０度の方向にも無音領域４４，４５を生成することが出来る。この結果、無音領域４２，４３，４４，４５に位置する受聴者には、位相を反転させない他方の再生ユニット３０´からの再生音の音像と明らかに異なる位置に再生ユニット２０´からの音の音像を定位させることが出来る。
【００２８】
この場合、もともと無音領域４４と４５の方向に位置する受聴者にとっては、両再生ユニット２０´と３０´に対する見込み角度が大きいので、敢えて直線４０に直交する方向に無音領域を生成する必要も無いように感じる。しかし、９０°方向の無音領域４４内に位置する受聴者Ｅが、向かって左側に位置するスピーカ２０ａからの音を傾聴する姿勢をとることで、再生ユニット２０´の音の音像は受聴者Ｅの左肩方向に定位し、再生ユニット３０´の音の音像は再生ユニット３０´の位置に定位する。このように２チャネルの音の聞き分けをより明確にすることが可能である。
【００２９】
なお、ここまでの説明では各再生ユニット２０，３０を構成するスピーカの数を２個乃至４個で説明したが、６個以上の偶数個としても、上記した実施例１乃至３の構成とすることで同様の効果を奏することが可能である。
また、再生ユニット２０と３０を構成するスピーカの数を同数とした例を示して説明を行ったが、図７に示すように一方の再生ユニット３０を１個のスピーカで構成してもよい。この場合の受聴者は、直線４０に対して再生ユニット３０のスピーカ３０ｂの放音側に位置するＡ，Ｂ，Ｃと、直線４０の両端に位置する受聴者Ｄ，Ｈの５人になる。なお、再生ユニット２０と３０の構成を逆にしても同様な効果が得られることは、言うまでもないことである。
【００３０】
以上述べたように、２組の再生ユニットのどちらか一つの再生ユニットを構成する一部のスピーカに入力する位相を反転する音響再生方法とすることで、２組のスピーカを結ぶ直線上でも、２個の音源を異なった位置に定位させることができ、音響再生装置を中心とした周辺の極めて広い範囲で２個の音源の音像を異なる位置に定位させ、いずれの音源からの再生音を聞いているかを容易に区別させることができる。
【図面の簡単な説明】
【００３１】
【図１】この発明の音響再生装置の実施例１の構成を示す図。
【図２】実施例１の再生ユニット２０を構成するスピーカ２０ａと２０ｂの音の指向特性を示す図。
【図３】この発明の音響再生装置の実施例２の構成を示す図。
【図４】この発明の音響再生装置の実施例３の構成を示す図。
【図５】実施例３の再生ユニット２０の音の指向特性を示す図。
【図６】再生ユニットを構成する隣接したスピーカに位相反転器５０の出力信号を供給しないようにした場合のスピーカの指向特性を示す図。
【図７】この発明の音響再生装置の一方の再生ユニットを１個のスピーカで構成した例を示す図。
【図８】非特許文献１に開示された従来技術を示す図。
【図９】非特許文献２に開示された従来技術を示す図。
【図１】
2008098826.tif 000003
【図２】
2008098826.tif 000004
【図３】
2008098826.tif 000005
【図４】
2008098826.tif 000006
【図５】
2008098826.tif 000007
【図６】
2008098826.tif 000008
【図７】
2008098826.tif 000009
【図８】
2008098826.tif 000010
【図９】
2008098826.tif 000011